(57)【要約】【課題】より優れた通気性機能を有する靴底構造。【解決手段】中敷と中底でエアボックスを形成する靴底構造を提供する。本考案は靴底層と中敷と中底からなる構造で、その中敷には多数の通気孔が設けられており、中敷の底部には多数の突起が設けられており、四方に突起で囲まれた部分により、多くの中敷底部のエアボックスを形成し、中敷の下且つ靴底の上に位置した中底の上部にも多数の突起が設けられており、中敷同様に四方に突起で囲まれた部分により、多くの中底上部のエアボックスを形成し、中敷底部の突起の配列位置と中底上部の突起の配列位置は相対した位置にあり、中底の上に中敷を置いた場合、上下の各突起は同じ位置に重なることで、各エアボックスも上下に重なり合い、更に大きいエアボックスを形成することを特徴とした靴底構造であり、使用者に更に通気性に優れた健康的な靴を提供する。【選択図】図４
0003134777.tif 000002
【実用新案登録請求の範囲】
【請求項１】
靴底層と中敷と中底から構成され、
中敷は表面に多数の通気孔が開けられており、
中敷の底部には多数の突起が設けられており、四方に突起で囲まれた部分により、多くの中敷底部のエアボックスを形成し、中敷の下また靴底の上に位置した中底の上部にも多数の突起が設けられており、中敷同様に四方に突起で囲まれた部分により、多くの中底上部のエアボックスを形成し、中敷底部の突起の配列位置と中底上部の突起の配列位置は相対した位置にあり、中底の上に中敷を置いた場合、上下の各突起は同じ位置に重なることで、各エアボックスも上下に重なり合い、更に大きいエアボックスを形成することを特徴とした中敷と中底でエアボックスを形成する靴底構造。
【請求項２】
中敷と中底でエアボックスを形成する靴底構造において、
該中敷と中底の間に通気防水性シートを挟むことを特徴とする請求項１記載の中敷と中底でエアボックスを形成する靴底構造。
【請求項３】
上記中底の周縁に多数設けられた、排気用と排水用の凹形の通路と、その排気排水通路と靴底層の周縁に開けられた通気孔は互いに繋がっていることを特徴とする請求項１に記載の中敷と中底でエアボックスを形成する靴底構造。
【請求項４】
中底と靴底層は成型する際、一体化して成型されていることを特徴とする請求項１に記載の中敷と中底でエアボックスを形成する靴底構造。
【請求項５】
中底の底部周縁に設けられた凹形の溝は、各排気排水通路に繋がっていることを特徴とする請求項１に記載の中敷と中底でエアボックスを形成する靴底構造。
【請求項６】
その中敷上部にはマッサージクッションが多数設けられており、各マッサージクッション部分の下には各エアボックスが重なる位置になることを特徴とした靴底構造ことを特徴とする請求項１に記載の中敷と中底でエアボックスを形成する靴底構造。
【考案の詳細な説明】
【技術分野】
【０００１】
本考案は中敷と中底でエアボックスを形成する靴底構造に関するものであり、
特に、その靴底層の中底と中敷において、その中敷の底部には多数の突起が設けられており、四方に突起で囲まれた部分により、多くの中敷底部のエアボックスを形成し、中敷の下且つ靴底の上に位置した中底の上部にも多数の突起が設けられており、中敷同様に四方に突起で囲まれた部分により、多くの中底上部のエアボックスを形成し、中敷底部の突起の配列位置と中底上部の突起の配列位置は相対した位置にあり、中底の上に中敷を置いた場合、上下の各突起は同じ位置に重なることで、各エアボックスも上下に重なり合い、更に大きいエアボックスを形成することを特徴とした靴底構造である。
【背景技術】
【０００２】
一般的に１日のうち靴を履いている時間というのは非常に長いもので約８，９時間以上に及ぶ。長時間靴を履いた場合の足の蒸れや不快感というものは、人間の足の健康にも大いに影響を及ぼすものである。これまでの靴製造業者においても、靴の通気性については研究がされてきている。例えば、中底の底部に多数の凹凸を付け、それを平面の靴底に置くことでエアボックスを形成するタイプである。このタイプでは使用者が歩く際、エアボックスの上部を踏むことで、中の空気が押し出され、エアボックス内の空気を靴の内部に送り、靴の中の通気性を良くする効果がある。
但し、このタイプでは中底と靴底間の厚さが足りず、エアボックスの容量も極めて少なく、使用者が歩く際に生産される空気の気流量にも限界があり、靴の中の熱気もなかなかすぐには外に出せないといった問題に改善の必要性が見られた。
【特許文献１】特許公開２００６−１０２０４３
【考案の開示】
【考案が解決しようとする課題】
【０００３】
そこで、本考案人は研究を重ねた結果、中敷と中底でより大きいエアボックスを形成する靴底構造を考案した。
【考案の効果】
【０００４】
本考案は中敷と中底でエアボックスを形成する靴底構造を提供。
これは靴底層と中底と中敷からなる構造で、その中敷には多数の通気孔が設けられており、中敷の底部には多数の突起が設けられており、四方に突起で囲まれた部分により、多くの中敷底部のエアボックスを形成し、中敷の下且つ靴底の上に位置した中底の上部にも多数の突起が設けられており、中敷同様に四方に突起で囲まれた部分により、多くの中底上部のエアボックスを形成し、中敷底部の突起の配列位置と中底上部の突起の配列位置は相対した位置にあり、中底の上に中敷を置いた場合、上下の各突起は同じ位置に重なることで、各エアボックスも上下に重なり合い、更に大きいエアボックスを形成する。
【０００５】
本考案の中敷と中底でエアボックスを形成する靴底構造において、
靴底層の周縁に開けられた多数の通気孔は、各通気孔が中底上部のエアボックスに繋がっており、この通気孔を通じてボックス外と靴の中に気流が流れるような仕組みになっており、また、靴底層の内側の通気孔部分に通気防水性シートを施すと靴底の防水効果がアップする。
【０００６】
また、本考案の中敷と中底でエアボックスを形成する靴底構造において、
この中敷と中底の間に挟まれた通気防水性シートは水を通さないため、雨水などが靴内や中敷に沁みてくるのを防ぐ。
【０００７】
本考案の中敷と中底でエアボックスを形成する靴底構造において、
その中敷上部にはマッサージクッションが多数設けられており、各マッサージクッション部分の下には各エアボックスが重なる位置になっており、使用者が履いて歩行するたびに、マッサージクッションが圧縮され、中敷底部のエアボックスと中底上部のエアボックスの空気は使用者の靴内に流れ込み、また、この圧縮により起こった気流は、排気排水用通路を通じ、靴内の熱気や浸入して来た水は靴底層の空気孔から外に出され、また、新鮮な空気は同じく靴底層の空気孔から靴内に取り入れられる。
【０００８】
本考案の中敷と中底でエアボックスを形成する靴底構造において、
その中底の周縁には排気用と排水用のために凹形の通路が多数設けられており、その排気排水通路と靴底層の周囲に開けられた通気孔は互いに繋がっており、中底上部のエアボックス内に入ってきた水、及び、靴内の熱気を同時に外に排出する。
【０００９】
このように、本考案の中敷と中底でエアボックスを形成する靴底構造は課題を解決し、更に優れた通気性機能を持った靴底構造を提供することを目的とする。
【考案を実施するための最良の形態】
【００１０】
図１から図６に示したように、本考案の中敷と中底でエアボックスを形成する靴底構造において、本考案は靴底層１０と、中敷２０と、中底３０からなる構造で、その中敷２０には多数の通気孔２１が設けられており、中敷２０の底部には多数の突起２２が設けられており、四方に突起２２で囲まれた部分により、多くの中敷底部のエアボックス２３を形成し、中敷２０の下且つ靴底１０の上に位置した中底３０の上部にも多数の突起３１が設けられており、中敷２０同様に四方に突起３１で囲まれた部分により、多くの中底上部のエアボックス３２を形成し、中敷２０底部の突起２２の配列位置と中底３０上部の突起３１の配列位置は相対した位置にあり、中底３０の上に中敷２０を置いた場合、上下の各突起２２、３１は同じ位置に重なることで、各エアボックス２３、３２も上下に重なり合い、更に大きいエアボックス２３、３２を形成する。
【００１１】
本考案の中敷と中底でエアボックスを形成する靴底構造において、
靴底層１０の周縁に開けられた多数の通気孔１１は、各通気孔１１が中底３０上部のエアボックス３２に繋がっており、この通気孔１１を通じてボックス外と靴の中に気流が流れるような仕組みになっており、また、靴底層の内側の通気孔部分に通気性防水性シートを施すと靴底の防水効果がアップする。
【００１２】
また、本考案の中敷と中底でエアボックスを形成する靴底構造において、
この中敷２０と中底３０の間に挟まれた通気防水性シート４０は水を通さないため、雨水などが靴内や中敷２０に沁みてくるのを防ぐ。
【００１３】
本考案の中敷と中底でエアボックスを形成する靴底構造において、
その中敷２０上部にはマッサージクッション２４が多数設けられており、各マッサージクッション２４部分の下には中敷２０底部のエアボックス２３が重なる位置になっており、使用者が履いて歩行するたびに、マッサージクッション２４が圧縮され、中敷２０のエアボックス２３と中底３０のエアボックス３２の空気は使用者の靴内に流れ込み、また、この圧縮により起こった気流は、排気排水用通路３３を通じ、靴内の熱気や浸入して来た水は靴底層１０の空気孔１１から外に出され、また、新鮮な空気は同じく靴底層１０の空気孔１１から靴内に取り入れられる。
【００１４】
本考案の中敷と中底でエアボックスを形成する靴底構造において、
その中底３０の周縁には排気用と排水用のために凹形の通路３３が多数設けられており、その排気排水通路３３と靴底層１０の周囲に開けられた通気孔１１は互いに繋がっており、中底３０上部のエアボックス３２内に入ってきた水、及び、靴内の熱気を同時に外に排出する。
【００１５】
図１、図２、図４に示したように、本考案の中敷と中底でエアボックスを形成する靴底構造において、中底３０の底部周縁には凹形の溝３４が多数設けられており、各溝３４は各排気排水通路３３を通じて、靴底層外側の空気孔１１まで繋がっている。個別の排気排水通路３３或いは溝３４だけで、中底のエアボックス３２に浸入してきた水や熱気を排気排水通路３３を通じ、溝３４に流し、靴底層の外側に開けた空気孔１１から外に排出することが出来る。またこの中底３０と靴底層１０は成型の際、一体化して成型されている。
【００１６】
このように、本考案の中敷と中底でエアボックスを形成する靴底構造は課題を解決し、使用者に更に優れた通気性機能を持った靴底構造を提供し、また、本考案の中敷と中底でエアボックスを形成する靴底構造は、スニーカー、革靴、カジュアルシューズ、サンダル、スリッパ、等、色々な靴に応用することが出来る。
【図面の簡単な説明】
【００１７】
【図１】本考案に係る靴底構造の分解斜視図である。
【図２】図１に標示した２部分の拡大図である。
【図３】図１を組み合わせた状態を示す斜視図である。
【図４】図１の４−４線断面説明図である。
【図５】本考案に係る中敷の底部斜視図である。
【図６】本考案に係る中底の俯瞰図である。
【符号の説明】
【００１８】
１０、靴底層
１１、通気孔
２０、中敷
２１、通気孔
２２、中敷底部の突起部分
２３、中敷底部のエアボックス
２４、マッサージクッション
３０、中底
３１、中底上部の突起部分
３２、中底上部のエアボックス
３３、排気排水用通路
３４、溝
４０、通気防水性シート
【図１】
0003134777.tif 000003
【図２】
0003134777.tif 000004
【図３】
0003134777.tif 000005
【図４】
0003134777.tif 000006
【図５】
0003134777.tif 000007
【図６】
0003134777.tif 000008